(57)【要約】      （修正有）【課題】外観上の不快を抑制できるとともに、配光が変化するのを防止できる照明器具を提供する。【解決手段】照明器具10は、発光素子22、プルスイッチ16、および点灯装置17を備える。拡散板56の中央付近にプルスイッチ16の引き紐30を挿通させるとともに、その挿通孔57にむけて傾斜するよう成形されたセード体53を組み合わせることで、拡散板56内に侵入した塵ほこり等が溜まることによる外観上の不快を抑制することができる。【選択図】図２
2014197453.tif 000002
【特許請求の範囲】
【請求項１】
基板に実装される複数の発光素子と；
前記発光素子を取付けられる本体と；
給電回路にプルスイッチを介して接続され、外部電源からの電力を所定の点灯電力に変換して発光素子に供給する点灯装置と；
器具中央付近に形成され、外部電源から電力が供給される給電回路を開閉する接点を有し、引き紐の引張操作によって接点が開放され、引き紐の引張操作の解除によって接点が閉成するプルスイッチと；
前記プルスイッチの引き紐を挿通される挿通孔が中央付近に形成されているとともに、外周から挿通孔に向け照射方向側に傾斜するように成形されており、前記本体に着脱不可能に取付けられる透光性を有するセードと；
を具備していることを特徴とする照明器具。
【請求項２】
前記セードの外周から略中央に向けた傾斜角度は４５度よりも小さいことを特徴とする請求項１記載の照明器具。
【発明の詳細な説明】
【技術分野】
【０００１】
本発明の実施形態は、光源に発光素子を用いた照明器具に関する。
【背景技術】
【０００２】
近年、省エネ長寿命の観点から、光源にＬＥＤを採用する照明器具が普及しつつある。特に、ＬＥＤの光の特性として虫の好む４００ｎｍの波長を殆ど含まないので虫が寄りにくい。しかし実際は、ＬＥＤを点灯することで熱を発することから、虫がよってきたり、光源の長寿命が進み、器具に塵ほこりがたまるなどの問題も発生している。
【先行技術文献】
【特許文献】
【０００３】
【特許文献１】特開２０１１−２９３５号公報
【発明の概要】
【発明が解決しようとする課題】
【０００４】
このような光源に発光素子を用いた照明器具において、セードの着脱が可能な器具の場合、セードを取外すことで、器具内の手入れを容易にすることができる。
【０００５】
しかし、吊り下げ器具などの密閉器具において、使用者がセード内にたまったほこりや虫などの混入物を清掃することは困難であるという問題があり、使用者に不快感を与える虞がある。
【０００６】
本発明が解決しようとする課題は、複雑な構成を必要とせず、照明器具内に塵ほこり、虫などの混入による不快感を与えることを抑制することができる照明器具を提供することである。
【課題を解決するための手段】
【０００７】
実施形態の照明器具は、基板に実装される複数の発光素子と；前記発光素子を取付けられる本体と；給電回路にプルスイッチを介して接続され、外部電源からの電力を所定の点灯電力に変換して発光素子に供給する点灯装置と；器具中央付近に形成され、外部電源から電力が供給される給電回路を開閉する接点を有し、引き紐の引張操作によって接点が開放され、引き紐の引張操作の解除によって接点が閉成するプルスイッチと；前記プルスイッチの引き紐を挿通される挿通孔が中央付近に形成されているとともに、外周から挿通孔に向け照射方向側に傾斜するように成形されており、前記本体に着脱不可能に取付けられる透光性を有するセードと；を具備している。
【発明の効果】
【０００８】
本発明によれば、セードを外周から挿通孔に向けて照射方向側に傾斜するよう成形することで、プルスイッチの引き紐の引張操作をすることで、器具内の塵ほこりなどが溜まるなどの不具合を解消することができる。
【図面の簡単な説明】
【０００９】
【図１】第１の実施形態を示す照明器具の回路図である。
【図２】第１の実施形態を示す照明器具の断面図である。
【発明を実施するための形態】
【００１０】
以下、第１の実施形態を、図１および図２を参照して説明する。
【００１１】
照明器具10は、器具本体11を備え、この器具本体11の下面側に発光モジュール12、この発光モジュール12、および器具本体11の下面を覆うセード体53が取り付けられ、また、器具本体11の上面側には上部カバー14が取り付けられている。
【００１２】
照明器具10は、吊下形照明器具であり、器具本体11の上部カバー14の中央から器具本体11を吊り下げ支持するとともに点灯装置17に電気的に接続されたコード50が引き出され、コード50の先端には天井面51に設置されている引掛シーリングボディに装着される引掛シーリング52が取り付けられている。また、プルスイッチ16は器具本体11の上面中央に配置され、器具本体11の中央に設けられた挿通孔を通じて引き紐30が垂下されている。また、器具本体11の下面に発光モジュール12が配置されている。
【００１３】
発光モジュール12は、器具本体11の下面に取り付けられる基板、およびこの基板の下面に実装された複数の発光素子22を備えている。発光素子22は、本実施形態ではＬＥＤ素子とするが、例えばＥＬ素子などの他の発光素子でもよい。
引き紐30の他端側は、上部カバー14に設けられている挿通孔から外部に挿通され、下方へ垂下されている。
【００１４】
点灯装置17は、上部カバー14に取り付けられた回路基板を有し、この回路基板に点灯回路が実装されている。点灯回路の電源入力側はプルスイッチ16、アダプタおよび引掛シーリングボディを通じて外部電源に接続され、点灯回路の点灯出力側は基板を通じて複数の発光素子22に接続されている。
【００１５】
器具本体11には、上方からセード体53が被着されている。このセード体53は、上面部54および周面部55を有し、水平方向断面が四角形または円形に形成されている。上面部54の中央に上部カバー14が嵌合する開口部54aが形成されており、上面部54が器具本体11の周辺部上に載置された状態に支持されている。上面部54および周面部55の一部または全体が例えば乳白色や透明な樹脂材料で形成されていて透光性を有している。
【００１６】
セード体53の下面を覆うようにセード体53に拡散板56が取り付けられている。拡散板56は、例えば乳白色の樹脂材料で形成されていて透光性および光拡散性を有しており、拡散板56の中央には引き紐30を通す挿通孔57が形成されている。拡散板56は、セード体53から挿通孔57に向かって照射方向に傾斜するよう成形されている。なお、拡散板56は、セード体53の延びる方向と直交する角度を支点として挿通孔57に向け１〜４５度傾斜させることができる。即ち、側面視において、部屋の床面に対して傾斜させることで拡散傾斜させることで56の内面に塵ほこり、虫等が滞留することを抑制できる。なお、最適には１０〜４５度傾斜させることが望ましい。拡散板56の角度が10度よりも小さいと、拡散板56のない表面に塵ほこりが溜まりやすく、45度より大きいと器具の薄型化が困難となる虞がある。
【００１７】
なお、本実施の形態において、器具外観形状は四角形で、照射方向に向かい錐体形状を呈するものとしたが、これに限定されるものではなく、円形、三角形、や多角形を呈するものとしても実施できる。
【００１８】
また、図１には照明器具の回路図を示す。外部電源としての商用交流電源40に壁スイッチ41を介して接続された給電回路42に、引掛シーリングボディおよびアダプタを通じて照明器具10の回路が電気的に接続されている。
【００１９】
照明器具10では、給電回路42にプルスイッチ16を介して点灯装置17の電源入力側が接続され、点灯装置17の点灯出力側が発光素子22に接続されている。
【００２０】
プルスイッチ16は、スイッチ機構として、給電回路42を開閉可能とする常閉形の接点45を有し、引き紐30の引張操作によって接点45が開放され、引き紐30の引張操作の解除によって接点45がばね付勢によって自動的に閉成する自動復帰形スイッチ機構が用いられている。
【００２１】
点灯装置17は、商用交流電源40からの交流電力を所定の点灯電力である直流電力に変換して発光素子22に供給する点灯回路を有している。点灯回路は、例えばスイッチング素子を用いて、このスイッチング素子のオンデューティを制御部によって制御することにより、発光素子22に供給する直流電力を可変して、発光素子22を調光する調光機能を有している。さらに、点灯回路は、プルスイッチ16または壁スイッチ41による所定時間（調光判定時間）内の電源遮断である例えば１秒程度の瞬時電源遮断を検出する検出手段を有し、この検出手段で瞬時電源遮断を検出する毎に、予め設定されている複数段階の調光レベルに順に可変する。調光レベルの段階は、一例として、全光（１００％調光）、中間調光（例えば７５％調光、５０％調光、２５％調光など）、消灯などが含まれる。
【００２２】
なお、照明器具10は常夜灯を備えていてもよく、常夜灯を備える場合の調光レベルの段階は、発光素子22の全光、発光素子22の各中間調光、発光素子22の消灯かつ常夜灯の点灯、発光素子22および常夜灯の両方の消灯が含まれる。
次に、照明器具10の動作を説明する。
【００２３】
壁スイッチ41がオフされていて照明器具10が所定時間以上（調光判定時間以上）消灯している状態において、壁スイッチ41をオンすると、商用交流電源40からの交流電力がプルスイッチ16の接点45を通じて点灯装置17に供給される。点灯装置17は、交流電力を例えば全光の調光レベルの直流電力に変換して発光素子22に供給し、発光素子22を全光の調光レベルで点灯させる。
【００２４】
調光するために操作者がプルスイッチ16の引き紐30を引張操作した後に引張操作を解除する１回の操作を行い、プルスイッチ16の接点45が所定時間（調光判定時間）内で瞬時開閉すると、点灯装置17が瞬時電源遮断を検出し、現在の調光レベルを例えば１段階下げた調光レベルに可変する。現在の調光レベルが全光であれば、１段階下げた中間調光の調光レベルに可変する。
【００２５】
プルスイッチ16の引き紐30を同様に操作する毎に、調光レベルを１段階ずつ下げるように可変するとともに、消灯の調光レベルとなった後は全光の調光レベルに戻る。すなわち、プルスイッチ16の引き紐30を繰り返し操作したとすると、全光、各中間調光、消灯を経て、全光に戻るというように、調光レベルがループ状に可変する。
【００２６】
また、プルスイッチ16の引き紐30を引張操作し、接点45が開放されている間は、点灯装置17への交流電力の供給が遮断されるため、発光素子22への点灯電力の供給が停止され、発光素子22が消灯する。
発光素子22は、点灯電力の遮断、供給に対して瞬時に消灯、点灯するため、調光レベル
が切り換わる際に発光素子22が消灯する期間が明確に現れる。
そのため、切り換える調光レベル間で発光素子22の明るさの差が少なくても、プルスイ
【００２７】
ッチ16の引き紐30の操作時に発光素子22が１回消灯することにより、プルスイッチ16の引き紐30の操作によって調光レベルの切り換えがなされたことを認識しやすくできる。
【００２８】
このように、本実施形態の照明器具10では、プルスイッチ16の引き紐30の引張操作毎に発光素子22に供給する点灯電力を可変して発光素子22を調光できるとともに、プルスイッチ16の引き紐30の引張操作中は発光素子22への点灯電力の供給を停止し、発光素子22を消灯させるため、プルスイッチ16の引き紐30の操作時に、調光状態が切り換わったことを認識しやすくできる。
以上のように本実施形態の照明器具は、
【００２９】
発光素子22を点灯および消灯する際の引き紐30を操作することで、照射方向に向かって傾斜している拡散板56の中央付近に挿通孔57が形成されているので、引き紐30操作による器具の振動などにより、器具内の特にセード体53内に侵入した塵ほこりが溜まることなく操作孔57からこれらを自由落下させることができる。したがって、指向性の強い発光素子22を使用した照明器具をセード体53および拡散板56により着脱不可能に閉塞しても、眩しさの不快を抑制できるとともに、主な照射面である拡散板56に塵ほこり、侵入した虫などが溜まることによる外観上の不快を抑制することができる。
【００３０】
また、調光するためにプルスイッチ16の引き紐30を操作することにより、発光素子22の調光レベルを可変することができる。プルスイッチ16は器具本体11の中央に配置されているため、引き紐30を真下方向に引張操作すれば照明器具10が傾くことはないが、引き紐30に斜めに引張操作した場合には照明器具10が傾きやすい。
【００３１】
なお、プルスイッチ16は器具本体11に取り付けられるが、吊下形照明器具は、器具本体11と天井面51との間が大きくあいていて、器具本体11からの放熱性がよいため、プルスイッチ16への熱影響は少ない。
【００３２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３３】
10    照明器具
11    器具本体
16    プルスイッチ
17    点灯装置
22    発光素子
30    引き紐
31    引き紐ガイド
40    外部電源としての商用交流電源
42    給電回路
45    接点
【図１】
2014197453.tif 000003
【図２】
2014197453.tif 000004